Podtech/llm-jp-corpus-v4-ja_patent huggingface dataset:
【手続補正書】
【提出日】令和3年2月15日(2021.2.15)
【手続補正１】
【補正対象書類名】特許請求の範囲
【補正対象項目名】全文
【補正方法】変更
【補正の内容】
【特許請求の範囲】
【請求項１】
不燃性ターゲットガスを破壊する方法であって、
ａ）空気とターゲットガスの混合気を第１の圧力で圧縮して圧縮されたターゲットガス混合気を生成し、空気とターゲットガスの混合気中のターゲットガス濃度を約４０g／m3以下に保ち、
ｂ）前記第１の圧力よりも高い燃焼圧力で、前記圧縮されたターゲットガス混合気を強制誘導される内燃機関内で燃料で燃焼させることによって前記ターゲットガス混合気を破壊し、前記ターゲットガスを熱分解し、酸化された排気ガスを生成し、燃焼は、負荷バンクを備えたエンジン上の負荷を維持しながら行われ、
ｃ）酸化された排気ガスを処理して、排気ガスが実質的にターゲットガスを含まない大気に排気するための排気ガスを生成する、
方法。
【請求項２】
前記内燃機関がディーゼルサイクル内燃機関であり、前記燃料がディーゼル燃料である、請求項１に記載の方法。
【請求項３】
前記燃焼は、ロードバンクを有する前記内燃機関の電気負荷を維持しながら行われる、請求項１または２に記載の方法。
【請求項４】
ロードバンクによって生成された熱は、前記ターゲットガスが、霧化プロセスにおいて使用された後に破壊されている煙霧である場合に、ガス煙霧脱着を容易にするために使用される、請求項１〜３のいずれか１項に記載の方法。
【請求項５】
ロードバンクによって生成された熱を使用して、霧化されている空間内の周囲空気温度を上昇させ、霧化された製品からの霧化物のより迅速な脱着を可能にする、請求項１〜３のいずれか１項に記載の方法。
【請求項６】
前記ターゲットガスが、臭化メチル、ホスフィン、またはフッ化硫黄である、請求項１〜５のいずれか１項に記載の方法。
【請求項７】
前記ターゲットガスを空気と混合する前または後に予備濾過システムを使用することを含む、請求項１〜６のいずれか１項に記載の方法。
【請求項８】
それぞれの流入ガス濃度を絶えず測定するために、圧縮前に固定された雰囲気およびターゲットガスセンサを使用することを含む、請求項１〜７のいずれか１項に記載の方法。
【請求項９】
ターゲットガスは、所望のターゲットガス混合気を形成するために、空気に対するターゲットガスの比率を制御するプロセス制御システムによって制御されるターゲットガスミキサーにおいて、圧縮前に大気と混合される、請求項１〜８のいずれか１項に記載の方法。
【請求項１０】
所望のターゲットガス混合気が、最低３．５％の酸素含有量を含む、請求項１〜９のいずれか１項に記載の方法。
【請求項１１】
前記ターゲットガスの中のターゲットガス濃度が、約３５g／m3以下、または約３０g／m3以下、または約２５g／m3以下、または約２０g／m3以下に保たれる、請求項１〜１０のいずれか１項に記載の方法。
【請求項１２】
前記ターゲットガスと空気の混合気が、約１１０．３２〜１２４．１１ｋＰａ（１６ｐｓｉ〜１８ｐｓｉ）の第１の圧力に圧縮される、請求項１〜１１のいずれか１項に記載の方法。
【請求項１３】
前記ターゲットガス混合気の圧縮は、ターボチャージャ内で行われる、請求項１〜１２のいずれか１項に記載の方法。
【請求項１４】
前記ターゲットガス混合気は、燃焼室内で燃焼前に２．５３〜３．５４ＭＰａ（２５〜３５ａｔｍ）の範囲内の第２の圧力まで圧縮される、請求項１〜１３のいずれか１項に記載の方法。
【請求項１５】
前記ターゲットガス混合気の温度が、前記燃焼室内で燃焼前に少なくとも５５０℃まで上昇される、請求項１４に記載の方法。
【請求項１６】
燃焼中の燃焼室内の燃焼圧力が５．０７〜６．５９ＭＰａ（５０〜６５ａｔｍ）の範囲内であり、酸化された排気ガスを生成する、請求項１〜１５のいずれか１項に記載の方法。
【請求項１７】
燃焼中の燃焼室内の火炎温度が約２，６００〜２，７００℃に達する、請求項１〜１６のいずれか１項に記載の方法。
【請求項１８】
燃焼室温度が６００〜７００℃の範囲である、請求項１〜１７のいずれか１項に記載の方法。
【請求項１９】
前記酸化された排気ガスは、ターボチャージャを通って前記内燃機関を出て、より低い温度で前記ターボチャージャを出る、請求項１から１８のいずれか１項に記載の方法。
【請求項２０】
前記酸化された排気ガスは、５７０℃以下の温度で前記ターボチャージャを出る、請求項１９に記載の方法。
【請求項２１】
前記酸化された排気ガスは、処理ステップｃの前に１００℃以下の温度に冷却される、請求項１〜２０のいずれか１項に記載の方法。
【請求項２２】
前記酸化された排気ガスの処理が、スクラビング溶液を約５０℃〜６０℃の最適温度に維持するように設計された冷却システムと共に、複数の水ベースのスクラバーを利用する湿式スクラビングステージと、脱塩ステージとを含む、請求項１〜２１のいずれか１項に記載の方法。
【請求項２３】
不燃性ターゲットガスを破壊する方法であって、
ａ）空気とターゲットガスの混合気中のターゲットガス濃度を約４０g／m3以下に保つために、空気とターゲットガスとの比率を連続的に制御し、
ｂ）空気とターゲットガスの混合気を第１の圧力で圧縮して圧縮されたターゲットガス混合気を生成し、
ｃ）前記ターゲットガス混合気を強制誘導される内燃機関内で燃料と共に前記第１の圧力よりも高い燃焼圧力で燃焼させることによって、前記ターゲットガス混合気を破壊し、前記ターゲットガス混合気を破壊し、前記ターゲットガスを熱分解し、酸化された排気ガスを生成し、
ｄ）酸化された排気ガスを処理して、排気ガスが実質的にターゲットガスを含まない大気に排気するための排気ガスを生成する、
方法。
【手続補正書】
【提出日】令和3年3月25日(2021.3.25)
【手続補正１】
【補正対象書類名】特許請求の範囲
【補正対象項目名】全文
【補正方法】変更
【補正の内容】
【特許請求の範囲】
【請求項１】
取得データ転送速度で対象物に関連する画像データを取得する超音波イメージング・プローブと、
第１のキュー及び第２のキューを含むメモリと、
前記超音波イメージング・プローブと通信する通信インターフェースであって、
前記取得データ転送速度に基づいて前記第１のキューからリアルタイムで前記画像データの第１のサブセットを送信し、
遅延した時点で前記第２のキューから前記画像データの第２のサブセットを送信する、
通信インターフェースと、
を備える、超音波イメージング・システムであって、
前記第１のキューは、前記第２のキューよりも送信優先順位が高く、
前記超音波イメージング・プローブは、優先順位の高い画像データのセットを前記画像データの第１のサブセットとして識別し、優先順位の低い画像データのセットを前記画像データの第２のサブセットとして識別する、処理コンポーネントを含み、前記処理コンポーネントはさらに、
前記画像データの前記第１のサブセットを前記第１のキューに入れ、
前記画像データの前記第２のサブセットを前記第２のキューに入れる、
超音波イメージング・システム。
【請求項２】
前記通信インターフェースは、前記取得データ転送速度での前記画像データの取得データ帯域幅よりも狭い転送帯域幅を含む、請求項１に記載の超音波イメージング・システム。
【請求項３】
前記通信インターフェースは、
前記転送帯域幅の一部分を使用して前記画像データの前記第１のサブセットを送信し、
前記転送帯域幅の残りの部分を使用して前記画像データの前記第２のサブセットを送信する、
請求項２に記載の超音波イメージング・システム。
【請求項４】
前記通信インターフェースは、有線シリアル・インターフェース又は無線インターフェースのうち少なくとも一方である、請求項１に記載の超音波イメージング・システム。
【請求項５】
前記超音波イメージング・プローブは、前記通信インターフェースが前記画像データの前記第１のサブセットを送信している間に前記画像データの前記第２のサブセットを記憶するメモリを備える、請求項１に記載の超音波イメージング・システム。
【請求項６】
前記超音波イメージング・プローブは、取得された前記画像データから前記画像データの前記第１のサブセットを識別する処理コンポーネントを備える、請求項１に記載の超音波イメージング・システム。
【請求項７】
前記画像データの前記第１のサブセットは、前記対象物に関連付けられた複数の走査線を含み、前記複数の走査線は画像平面に関連付けられている、請求項１に記載の超音波イメージング・システム。
【請求項８】
前記画像データの前記第１のサブセットは、前記対象物に関連付けられた複数の走査線内での深度ウィンドウを表すデータ・サンプルを含み、前記データ・サンプルはＣ面に関連付けられる、請求項１に記載の超音波イメージング・システム。
【請求項９】
超音波イメージング・プローブによって、対象物に関連付けられた画像データを取得データ転送速度で取得するステップと、
通信リンクを介して、前記取得データ転送速度に基づいてリアルタイムに、第１のキューから前記画像データの第１のサブセットをホストに送信するステップと、
前記通信リンクを介して、遅延した時点で第２のキューから前記画像データの第２のサブセットを前記ホストに送信するステップと、
を有する、超音波イメージングの方法であって、前記方法は、
優先順位の高い画像データのセットを前記画像データの第１のサブセットとして識別し、優先順位の低い画像データのセットを前記画像データの第２のサブセットとして識別するステップと、
前記画像データの前記第１のサブセットを前記第１のキューに入れ、前記画像データの前記第２のサブセットを前記第２のキューに入れるステップと、
をさらに有し、
前記第１のキューは、前記第２のキューよりも送信優先順位が高い、
方法。
【請求項１０】
前記通信リンクは、前記取得データ転送速度での前記画像データの取得データ帯域幅よりも狭い転送帯域幅を含む、請求項９に記載の方法。
【請求項１１】
前記画像データの前記第１のサブセットを送信するステップは、前記通信リンクの前記転送帯域幅の一部分を使用して前記画像データの前記第１のサブセットを送信するステップを有し、前記画像データの前記第２のサブセットを送信する前記ステップは、前記転送帯域幅の残りの部分を使用して前記画像データの前記第２のサブセットを送信するステップを有する、請求項１０に記載の方法。
【請求項１２】
前記画像データの前記第１のサブセットを送信するステップと同時に、前記超音波イメージング・プローブのメモリに前記画像データの前記第２のサブセットを記憶するステップをさらに有する、請求項９に記載の方法。
【請求項１３】
前記超音波イメージング・プローブの処理コンポーネントによって、取得された前記画像データから前記画像データの前記第１のサブセットを識別するステップをさらに有する、請求項９に記載の方法。
【請求項１４】
前記画像データの前記第１のサブセットは、前記対象物に関連付けられた複数の走査線を含み、前記複数の走査線は画像平面に関連付けられている、請求項９に記載の方法。
【請求項１５】
前記画像データの前記第１のサブセットは、前記対象物に関連付けられた複数の走査線内での深度ウィンドウを表すデータ・サンプルを含み、前記データ・サンプルはＣ面に関連付けられる、請求項９に記載の方法。
【請求項１６】
前記画像データの前記第１のサブセットに基づくリアルタイム画像を前記ホストにおいて表示するステップをさらに有する、請求項９に記載の方法。
【請求項１７】
前記ホストにおいて、前記画像データの前記第１のサブセットと前記画像データの前記第２のサブセットとを結合して、結合済みの画像を形成するステップと、
後続のレビューのために、前記ホストに前記結合済みの画像を保存するステップと、
をさらに有する、請求項１６に記載の方法。
【手続補正書】
【提出日】令和3年3月11日(2021.3.11)
【手続補正１】
【補正対象書類名】特許請求の範囲
【補正対象項目名】全文
【補正方法】変更
【補正の内容】
【特許請求の範囲】
【請求項１】
対象者を３次元で走査するアレイトランスデューサを備える超音波プローブと、
前記超音波プローブに結合され、前記対象者の３Ｄ画像データセットを格納する３Ｄ画像データメモリと、
前記３Ｄ画像データメモリと結合され、前記対象者のボリューム画像をレンダリングし、レンダリングされた前記ボリューム画像内の仮想光源の照明の効果をレンダリングするボリュームレンダラと、
前記３Ｄ画像データメモリと結合され、前記対象者の交差する平面の複数の２Ｄ画像を生成する２Ｄ画像再構成回路であって、前記２Ｄ画像は、２Ｄ画像平面の交点のグラフィックマーカをさらに有する、２Ｄ画像再構成回路と、
画像グラフィックを生成するグラフィック発生器と、
前記対象者の前記ボリューム画像及び１つ又は複数の前記２Ｄ画像を、前記画像グラフィックと共に同時に表示するディスプレイと
を備え、
前記ボリューム画像は、前記対象者内の前記２Ｄ画像平面の前記交点に印を付けるするために前記ボリューム画像内に位置的に配置されて表示され、前記２Ｄ画像平面の現在の交点に動作可能に結合される、前記仮想光源を有し、
前記ボリューム画像内の前記仮想光源の位置は、前記２Ｄ画像平面の前記交点の変化に伴って変化し、
前記２Ｄ画像平面の前記交点の変化は、前記レンダリングされたボリューム画像内の前記照明の効果の変化をもたらす、
３次元（３Ｄ）イメージングのための超音波診断イメージングシステム。
【請求項２】
前記ボリューム画像はさらに、前記グラフィック発生器によって生成される仮想光源のグラフィックと共に表示される、請求項１に記載の超音波診断イメージングシステム。
【請求項３】
前記照明の効果は、前記仮想光源により近い構造に対して強い照明を生成し、前記仮想光源からより遠い構造に対して弱い照明を生成する、請求項１に記載の超音波診断イメージングシステム。
【請求項４】
前記強い照明及び前記弱い照明は、前記仮想光源への距離に対する逆二乗の法則の関数である、請求項３に記載の超音波診断イメージングシステム。
【請求項５】
前記照明の効果は、明度、色相、又は輝度の違いとして生成される、請求項３に記載の超音波診断イメージングシステム。
【請求項６】
前記仮想光源と共に表示される前記ボリューム画像、及び１つ又は複数の前記２Ｄ画像が同時に表示される、請求項１に記載の超音波診断イメージングシステム。
【請求項７】
対象者の３次元超音波画像データを表示する方法であって、前記方法は、
前記３次元超音波画像データのボリュームレンダリングと、レンダリングされたボリューム内の仮想光源によって生成される照明の効果とを表示するステップと、
前記３次元超音波画像データの平面の複数の２Ｄ画像を同時に表示するステップと、
前記２Ｄ画像のそれぞれの中に、前記２Ｄ画像の前記平面の交点の位置マーカを表示するステップと、
前記ボリュームレンダリング内に、前記仮想光源を配置するステップと、
前記ボリュームレンダリング内の前記２Ｄ画像の前記平面の前記交点のマーカとして表示される前記仮想光源と共に前記ボリュームレンダリングを表示するステップと、
を有し、
前記ボリュームレンダリング内の前記仮想光源の位置は、前記２Ｄ画像の前記平面の前記交点の変化に伴って変化するように、前記２Ｄ画像の現在の交点の前記位置マーカに動作可能に結合され、
前記２Ｄ画像の前記平面の前記交点の変化は、前記ボリュームレンダリング内の前記照明の効果の変化をもたらす、
方法。
【請求項８】
前記同時に表示するステップは、互いに直交する画像平面の３つの２Ｄ画像を同時に表示するステップをさらに有し、
前記照明の効果と共に前記ボリュームレンダリングを表示するステップは、前記仮想光源への距離の逆二乗の関数として減衰する照明の効果を表示するステップをさらに有する、請求項７に記載の方法。
【請求項９】
前記２Ｄ画像再構成回路は、多断面画像再構成回路をさらに備える、請求項１に記載の超音波診断イメージングシステム。
【請求項１０】
前記多断面画像再構成回路は、前記対象者の交差する平面の３つの２Ｄ画像を生成する、請求項９に記載の超音波診断イメージングシステム。
【手続補正書】
【提出日】令和3年3月25日(2021.3.25)
【手続補正１】
【補正対象書類名】特許請求の範囲
【補正対象項目名】全文
【補正方法】変更
【補正の内容】
【特許請求の範囲】
【請求項１】
冠血流予備量比指標を決定する、スペクトル冠動脈枝モデリングコンポーネントを含む生物物理学的シミュレータコンポーネントを含む、コンピュータ実行可能命令を有するコンピュータ可読記憶媒体と、
異なる解剖学的構造間の境界を決定するために複数の異なる単一エネルギー画像を使用してスペクトルボリュメトリック画像データをセグメント化して、冠動脈の３Ｄ解剖モデルを生成し、前記スペクトルボリュメトリック画像データからセグメント化された前記３Ｄ解剖モデルを含むスペクトルボリュメトリック画像データを用いて前記冠血流予備量比指標を決定するために、前記生物物理学的シミュレータコンポーネントを実行するプロセッサと、
決定された前記冠血流予備量比指標を表示するディスプレイと、
を含む、システム。
【請求項２】
前記スペクトル冠動脈枝モデリングコンポーネントは、前記冠動脈の前記３Ｄ解剖モデルのスペクトル画像内の関心の解剖学的構造の存在を決定する、請求項１に記載のシステム。
【請求項３】
前記スペクトル冠動脈枝モデリングコンポーネントは、異なるスペクトル結果又はマテリアルドメインにわたってスペクトル的に有効化された正則化を使用する、請求項１又は２に記載のシステム。
【請求項４】
前記生物物理学的シミュレータコンポーネントは更に、スペクトル個人特徴抽出コンポーネントを含む、請求項１から３の何れか一項に記載のシステム。
【請求項５】
前記スペクトル個人特徴抽出コンポーネントは、前記冠動脈の前記３Ｄ解剖モデル及び前記スペクトルボリュメトリック画像データの少なくとも一方から、解剖学的特徴、プラーク特徴、心筋欠損特徴及び側副血行路特徴を含む特徴のグループから１つの特徴を抽出する、請求項４に記載のシステム。
【請求項６】
前記スペクトル個人特徴抽出コンポーネントは、スペクトル画像を使用して解剖学的構造を検出し、セグメント化し、分類することにより、前記解剖学的特徴を抽出する、請求項４又は５に記載のシステム。
【請求項７】
前記生物物理学的シミュレータコンポーネントは更に、スペクトル的に抽出された前記特徴から、調整可能な境界条件パラメトリックモデルを決定するスペクトル境界条件パラメトリックモデルコンポーネントを含む、請求項４から６の何れか一項に記載のシステム。
【請求項８】
前記調整可能な境界条件パラメトリックモデルコンポーネントは、冠動脈出口断面積及び個人化項の関数として抵抗をモデリングする、請求項７に記載のシステム。
【請求項９】
前記個人化項は、解剖学的個人化、スペクトルプラーク形態学的個人化、スペクトル灌流欠損個人化及びスペクトル側副血行路個人化を含むグループからの１つの項を含む、請求項８に記載のシステム。
【請求項１０】
プロセッサによって実行されると、前記プロセッサに、
スペクトルボリュメトリック画像データを受信させ、
異なる解剖学的構造間の境界を決定するために複数の異なる単一エネルギー画像を使用して冠動脈の３Ｄ解剖モデルをセグメント化して、前記冠動脈の３Ｄ解剖モデルを用いて冠血流予備量比指標を決定するために、前記スペクトルボリュメトリック画像データを処理させ、
前記冠血流予備量比指標を視覚的に提示させる、
コンピュータ実行可能命令がコード化された、コンピュータ可読媒体。
【請求項１１】
前記コンピュータ実行可能命令は、前記プロセッサに、生物物理学的シミュレータコンポーネントを用いて前記スペクトルボリュメトリック画像データを処理させ、前記生物物理学的シミュレータコンポーネントは、スペクトル個人特徴抽出コンポーネント及びスペクトル境界条件パラメトリックモデルコンポーネントを含む、請求項１０に記載のコンピュータ可読媒体。
【請求項１２】
前記スペクトル個人特徴抽出コンポーネントは、前記冠動脈のスペクトル３Ｄ解剖モデルから特徴を抽出する、請求項１１に記載のコンピュータ可読媒体。
【請求項１３】
前記スペクトル境界条件パラメトリックモデルコンポーネントは、抽出された前記特徴からスペクトル流体シミュレーション境界条件を決定する、請求項１２に記載のコンピュータ可読媒体。
【請求項１４】
前記生物物理学的シミュレータコンポーネントは更に、前記スペクトル流体シミュレーション境界条件を用いて前記冠血流予備量比指標を決定する流体シミュレータを含む、請求項１３に記載のコンピュータ可読媒体。
【請求項１５】
スペクトルボリュメトリック画像データを受信するステップと、
前記スペクトルボリュメトリック画像データを処理して、異なる解剖学的構造間の境界を決定するために複数の異なる単一エネルギー画像を使用して冠動脈の３Ｄ解剖モデルをセグメント化し、前記冠動脈の３Ｄ解剖モデルを用いて冠血流予備量比指標を決定するステップと、
前記冠血流予備量比指標を視覚的に提示するステップと、
を含む、方法。
【手続補正２】
【補正対象書類名】明細書
【補正対象項目名】０００２
【補正方法】変更
【補正の内容】
【０００２】
冠血流予備量比（ＦＦＲ）は、ＦＦＲ指標を介して、石灰化プラーク又は軟質プラークによる冠動脈病変の血行動態的意義を定量化するためのカテーテル検査室（Ｃａｔｈ  Ｌａｂ）における侵襲的手段である。指標は、冠動脈造影中に行われた圧力測定から計算される冠動脈狭窄の機能的重症度を示し、充血状態での（小孔近くの）近位血圧に対する（狭窄の後ろの）遠位血圧として定義される。つまり、ＦＦＲ指標は、狭窄がないと仮定した場合の血管の最大流量と比較される狭窄がある場合の最大流量を表す。ＦＦＲ値は、０〜１の絶対値であり、値０．５０は、所与の狭窄が５０％の血圧低下を引き起こしていることを示す。
【手続補正書】
【提出日】令和3年3月25日(2021.3.25)
【手続補正１】
【補正対象書類名】特許請求の範囲
【補正対象項目名】全文
【補正方法】変更
【補正の内容】
【特許請求の範囲】
【請求項１】
身体構造及び前記身体項造内を流れる流体を表す超音波データから画像を生成するステップと、
流体流に対応するベクトル場データを生成するステップであって、前記ベクトル場データは、前記流体の軸方向速度成分及び横方向速度成分を含む、ベクトル場データを生成するステップと、
ユーザインターフェース上に、前記画像に重ね合わされた前記ベクトル場データのグラフィック表現を表示するステップと、
前記画像内の１つ又は複数のユーザ選択点において前記ベクトル場データから時空間的情報を抽出するステップと、
前記１つ又は複数のユーザ選択点における前記時空間的情報と、前記ベクトル場データの前記グラフィック表現を含む前記画像とを同時に表示するステップであって、前記時空間的情報は、前記流体流の大きさ及び角度のうちの少なくとも一方を含む、表示するステップと
を有する、超音波イメージングデータを表示するための方法。
【請求項２】
前記時空間的情報の前記表示は、時間の関数として、前記１つ又は複数のユーザ選択点における前記流体流の前記大きさ及び前記角度のうちの前記少なくとも一方のグラフを表示することを含む、請求項１に記載の方法。
【請求項３】
前記時空間的情報の前記表示は、前記１つ又は複数のユーザ選択点における前記流体流の方向の視覚的表現を表示することを含み、前記視覚的表現は、前記流体流の前記方向の時間的変化を反映するように、動的に更新される、請求項１に記載の方法。
【請求項４】
前記流体流の前記方向の前記視覚的表現は、前記１つ又は複数のユーザ選択点における速度ベクトルの前記軸方向成分対前記速度ベクトルの横方向成分のグラフを含む、請求項３に記載の方法。
【請求項５】
前記時空間的情報の前記表示は、前記流体流の前記大きさ及び前記角度の情報を表示することを含み、前記流体流の前記大きさ及び前記角度の表示される前記情報は、対象者内の関心領域から受信される信号に応答してリアルタイムで同期して更新される、請求項１に記載の方法。
【請求項６】
前記ベクトル場データの前記グラフィック表現は、ベクトル場のパスレットベースのグラフィック表現である、請求項１に記載の方法。
【請求項７】
前記ベクトル場データの前記グラフィック表現は、前記ベクトル場データに対応する部分領域を規定するフローマスク層を含み、前記部分領域内の速度ベクトルの少なくとも部分軌跡を示すベクトル視覚化層をさらに含むベクトルマップを含む、請求項１に記載の方法。
【請求項８】
ボリューム関心領域の三次元ベクトル場データを取得するために、前記流体の高度速度成分を推定するステップをさらに有する、請求項１に記載の方法。
【請求項９】
前記１つ又は複数のユーザ選択点における前記時空間的情報と、前記画像とを同時に表示する前記ステップは、前記三次元ベクトル場データと重ね合わされた前記ボリューム関心領域の三次元画像を表示することを含む、請求項８に記載の方法。
【請求項１０】
ディスプレイユニットと、
前記ディスプレイユニット、並びに、身体構造及び前記身体構造内を流れる流体を表す超音波データから画像を生成するための超音波イメージング装置に通信可能に結合されているプロセッサと
を備え、前記プロセッサは、
流体流に対応するベクトル場データを生成することであって、前記ベクトル場データは、前記流体の軸方向速度成分及び横方向速度成分を含む、ベクトル場データを生成することと、
前記画像内の１つ又は複数のユーザ選択点において前記ベクトル場データから時空間的情報を抽出することと、
前記ディスプレイユニットに、前記１つ又は複数のユーザ選択点における前記時空間的情報と、前記画像上に重ね合わされた前記ベクトル場データのグラフィック表現を含む前記画像とを同時に表示させることであって、前記時空間的情報は、前記流体流の大きさ及び角度のうちの少なくとも一方を含む、表示させることと
を行う、超音波イメージングデータを視覚化及び定量化するためのシステム。
【請求項１１】
前記ディスプレイユニット及び前記プロセッサを含む超音波診断システムによって、前記超音波イメージング装置が提供され、前記超音波診断システムは、前記身体構造を超音波イメージングしながら、前記画像をリアルタイムで生成及び更新する、請求項１０に記載のシステム。
【請求項１２】
前記プロセッサは、前記ベクトル場データのパスレットベースのグラフィック表現を生成する、請求項１０に記載のシステム。
【請求項１３】
前記ベクトル場データの前記グラフィック表現は、前記ベクトル場データに対応する部分領域を規定するフローマスク層と、前記部分領域内の速度ベクトルの少なくとも部分軌跡を示すベクトル視覚化層とを含むベクトルマップを含む、請求項１０に記載のシステム。
【請求項１４】
前記プロセッサは、画像セグメント、利用可能なベクトル場データ、ユーザ入力、又はこれらの組み合わせに基づいてフローマスクを規定する、請求項１３に記載のシステム。
【請求項１５】
前記プロセッサは、対応するベクトルフローフレームにおける前記利用可能なベクトル場データの時間的変動に基づいて、後続の画像フレーム内で前記フローマスクを動的に更新する、請求項１４に記載のシステム。
【請求項１６】
前記プロセッサは、前記ディスプレイユニットに、前記時空間的情報として、前記１つ又は複数のユーザ選択点における前記流体流の前記大きさ及び前記角度のうちの前記少なくとも一方の時間の関数としてのグラフを表示させる、請求項１０に記載のシステム。
【請求項１７】
前記プロセッサは、前記ディスプレイユニットに、前記時空間的情報として、前記１つ又は複数のユーザ選択点における前記流体流の方向の視覚的表現を表示させ、前記視覚的表現は、前記流体流の前記方向の時間的変化を反映するように、動的に更新される、請求項１０に記載のシステム。
【請求項１８】
前記流体流の前記方向の前記視覚的表現は、前記１つ又は複数のユーザ選択点における速度ベクトルの前記軸方向成分対前記速度ベクトルの横方向成分のグラフを含む、請求項１７に記載のシステム。
【請求項１９】
前記ベクトル場データは、前記流体の高度速度成分をさらに含み、前記プロセッサは、三次元速度ベクトル場のグラフィック表現と重ね合わされた、超音波データの三次元画像を生成する、請求項１０に記載のシステム。
【手続補正書】
【提出日】令和3年4月1日(2021.4.1)
【手続補正１】
【補正対象書類名】特許請求の範囲
【補正対象項目名】全文
【補正方法】変更
【補正の内容】
【特許請求の範囲】
【請求項１】
表面走査エンドエフェクタにより印加された解剖学的臓器の複数のサンプル点への接触力の情報提示をする力検出データを生成する前記表面走査エンドエフェクタを含む走査ロボットと、
前記表面走査エンドエフェクタが前記力検出データを生成することを有する、前記表面走査エンドエフェクタによって前記解剖学的臓器の表面走査を制御する、表面走査制御装置と、
を備える、力検出型表面走査システムであって、
前記表面走査エンドエフェクタにより生成された前記力検出データに基づいて、前記表面走査制御装置が、前記解剖学的臓器の規定の表面変形オフセットを示す、前記表面走査中に前記表面走査エンドエフェクタによって各サンプル点に印加された接触力を有する前記複数のサンプル点のうちの各サンプル点を含み、前記解剖学的臓器の前記規定の表面変形オフセットを示さない、前記表面走査中に前記表面走査エンドエフェクタによって各サンプル点に印加された接触力を有する前記複数のサンプル点のうちの各サンプル点を除く、前記解剖学的臓器の術中ボリュームモデルを構築する、
力検出型表面走査システム。
【請求項２】
前記術中ボリュームモデルが、術中ボリュームメッシュと術中ボリューム画像とのうちの一方である、
請求項１に記載の力検出型表面走査システム。
【請求項３】
前記表面走査制御装置がさらに、粘弾性特性パラメータ及び走査力パラメータの関数として前記表面変形オフセットのオペレーターの規定を制御し、
前記粘弾性特性パラメータが、前記解剖学的臓器の硬さを定量化し、
前記走査力パラメータが、前記解剖学的臓器の前記術中ボリュームモデルの各サンプル点をデジタル化するために所望の接触力を定量化する、
請求項１に記載の力検出型表面走査システム。
【請求項４】
前記表面走査制御装置がさらに、前記表面走査エンドエフェクタにより印加された前記解剖学的臓器の前記複数のサンプル点のうちの各サンプル点へのオペレーターの所望の接触力を示す前記表面走査エンドエフェクタにより生成された前記力検出データに応答して前記表面変形オフセットの経験的な規定を制御する、
請求項１に記載の力検出型表面走査システム。
【請求項５】
前記表面走査制御装置が、
前記解剖学的臓器の術前セグメント分けボリュームモデルを横断するサンプリング走査経路を規定することと、
前記解剖学的臓器の表面を横断する幾何学的パターンと無作為なパターンとのうちの少なくとも１つを含むサンプリング走査経路を規定することと、
のうちの少なくとも１つを行う、請求項１に記載の力検出型表面走査システム。
【請求項６】
サンプリング走査経路が、ラインサンプリング走査経路と点サンプリング走査経路とのうちの少なくとも１つを含む、
請求項１に記載の力検出型表面走査システム。
【請求項７】
前記表面走査制御装置が、前記解剖学的臓器の前記規定の表面変形オフセットの関数として、前記解剖学的臓器の構築された術中ボリュームモデルの寸法変更を制御する、
請求項１に記載の力検出型表面走査システム。
【請求項８】
前記表面走査制御装置が、前記解剖学的臓器の前記術中ボリュームモデルと前記解剖学的臓器の術前セグメント分けボリュームモデルとの重ね合わせを制御する、
請求項１に記載の力検出型表面走査システム。
【請求項９】
前記走査ロボットが、スネーク走査ロボットである、
請求項１に記載の力検出型表面走査システム。
【請求項１０】
前記表面走査エンドエフェクタが、ツールポインターと超音波腹腔鏡とのうちの一方である、
請求項１に記載の力検出型表面走査システム。
【請求項１１】
表面走査エンドエフェクタを含む走査ロボットのための表面走査制御装置であって、前記表面走査制御装置が、
前記表面走査エンドエフェクタにより印加された解剖学的臓器の複数のサンプル点への接触力の情報提示をする力検出データを前記表面走査エンドエフェクタが生成することを有する、前記表面走査エンドエフェクタによって前記解剖学的臓器の表面走査を制御する、走査コマンダーと、
前記表面走査エンドエフェクタにより生成された前記力検出データに基づいて、前記解剖学的臓器の規定の表面変形オフセットを示す、前記表面走査中に前記表面走査エンドエフェクタによって各サンプル点に印加された接触力を有する前記複数のサンプル点のうちの各サンプル点を含み、前記解剖学的臓器の前記規定の表面変形オフセットを示さない、前記表面走査中に前記表面走査エンドエフェクタによって各サンプル点に印加された接触力を有する前記複数のサンプル点のうちの各サンプル点を除く、前記解剖学的臓器の術中ボリュームモデルを構築するモデル構築器と、
を備える、表面走査制御装置。
【請求項１２】
前記モデル構築器が、粘弾性特性パラメータ及び走査力パラメータの関数として前記表面変形オフセットの規定を制御し、
前記粘弾性特性パラメータが、前記解剖学的臓器の硬さを定量化し、
前記走査力パラメータが、前記解剖学的臓器の前記術中ボリュームモデルの各サンプル点をデジタル化するために所望の接触力を定量化する、
請求項１１に記載の表面走査制御装置。
【請求項１３】
前記モデル構築器が、前記表面走査エンドエフェクタにより印加された前記解剖学的臓器の前記複数のサンプル点のうちの各サンプル点へのオペレーターの所望の接触力を示す、前記表面走査エンドエフェクタにより生成された前記力検出データに応答して、前記表面変形オフセットの規定を制御する、
請求項１１に記載の表面走査制御装置。
【請求項１４】
前記走査コマンダーが、
前記解剖学的臓器の術前セグメント分けボリュームモデルを横断するサンプリング走査経路を規定することと、
前記解剖学的臓器の表面を横断する幾何学的パターンと無作為なパターンとのうちの少なくとも１つを含むサンプリング走査経路を規定することと、
のうちの少なくとも１つを行う、請求項１１に記載の表面走査制御装置。
【請求項１５】
前記モデル構築器が、前記解剖学的臓器の前記規定の表面変形オフセットの関数として、前記解剖学的臓器の構築された術中ボリュームモデルを寸法変更することを制御する、
請求項１１に記載の表面走査制御装置。
【手続補正書】
【提出日】令和3年3月25日(2021.3.25)
【手続補正１】
【補正対象書類名】特許請求の範囲
【補正対象項目名】全文
【補正方法】変更
【補正の内容】
【特許請求の範囲】
【請求項１】
血管ロードマップに重ね合わされた血管内デバイスを含む表示を生成するためのイメージングシステムであって、
血管内デバイスを含むライブ蛍光透視イメージングを受け取るデータレシーバと、
血管ロードマップを受け取り、
前記血管ロードマップと、前記ライブ蛍光透視イメージングに基づいて前記血管ロードマップに重ね合わされた前記血管内デバイスとを含む表示を生成し、
前記血管ロードマップの選択された領域を表すパニングデータを決定し、
前記ライブ蛍光透視イメージングの視野のパニングに対応する前記パニングデータに基づいて前記血管ロードマップの前記表示をパンし、それにより、前記血管内デバイスが前記血管ロードマップの適正な位置に重ね合わされる、
イメージ処理システムと
を含む、イメージングシステム。
【請求項２】
前記データレシーバは、デバイスフェーズ視野データを受け取り、前記イメージ処理システムは、血管フェーズ視野データを受け取り、前記デバイスフェーズ視野データ及び前記血管フェーズ視野データに基づいてパニングデータを決定し、前記パニングデータに基づいて前記血管ロードマップの前記表示をパンする、請求項１に記載のイメージングシステム。
【請求項３】
前記イメージ処理システムは、前記デバイスフェーズ視野データと前記血管フェーズ視野データとの間の空間的差を決定し、且つ前記空間的差に基づいて前記パニングデータを決定する、請求項２に記載のイメージングシステム。
【請求項４】
前記イメージ処理システムは、前記血管ロードマップが導出される血管ロードマップイメージング中の生物学的参照マーカと、前記ライブ蛍光透視イメージングとを比較してパニングデータを決定し、前記パニングデータに基づいて前記血管ロードマップの前記表示をパンする、請求項１から３の何れか一項に記載のイメージングシステム。
【請求項５】
前記イメージ処理システムは、前記デバイスフェーズ視野データと前記血管フェーズ視野データとの間の空間的差を決定し、前記空間的差を、前記血管ロードマップが導出される血管ロードマップイメージング中の生物学的参照マーカと、前記ライブ蛍光透視イメージングとの比較に基づいて前記パニングデータを決定するのに使用する、請求項２に記載のイメージングシステム。
【請求項６】
前記イメージ処理システムは、前記ライブ蛍光透視イメージング及び前記血管ロードマップイメージングからマスクイメージを前記空間的差に基づいて得て、且つこれらマスクイメージを比較して前記パニングデータを決定する、請求項５に記載のイメージングシステム。
【請求項７】
前記イメージ処理システムは、イメージ取得マシン及び／又は患者テーブル若しくは他の患者支持構造物の、相対位置と関連付けられた視野データを、前記イメージ取得マシン／前記患者テーブル若しくは他の患者支持構造物のコントローラから受け取る、請求項２、３又は５に記載のイメージングシステム。
【請求項８】
前記イメージングシステムは、前記ライブ蛍光透視イメージングを得るための蛍光透視イメージ取得マシンと、患者テーブル又は他の患者支持構造物とを含み、前記イメージ処理システムは、前記蛍光透視イメージ取得マシン及び前記患者テーブル又は他の患者支持構造物が互いに対して移動したときに、前記血管ロードマップの前記表示をパンし、それによって、前記ライブ蛍光透視イメージングの視野がパンされる、請求項１から７の何れか一項に記載のイメージングシステム。
【請求項９】
前記データレシーバは血管造影イメージングを受け取り、前記イメージ処理システムは、前記血管造影イメージングに基づいて前記血管ロードマップを決定する、請求項１から８の何れか一項に記載のイメージングシステム。
【請求項１０】
血管ロードマップに重ね合わされた血管内デバイスを含む表示を生成するためのコンピュータ実施方法であって、
血管内デバイスを含むライブ蛍光透視イメージングを受け取るステップと、
血管ロードマップを受け取るステップと、
前記血管ロードマップと、前記ライブ蛍光透視イメージングに基づいて前記血管ロードマップに重ね合わされた前記血管内デバイスとを含む表示を生成するステップと、
前記血管ロードマップの選択された領域を表すパニングデータを決定するステップと、
前記ライブ蛍光透視イメージングの視野のパニングに対応する前記パニングデータに基づいて前記血管ロードマップの前記表示をパニングし、それにより、前記血管内デバイスが前記血管ロードマップの適正な位置に重ね合わされる、パニングするステップと
を有する、コンピュータ実施方法。
【請求項１１】
血管イメージングを受け取るステップ、及び前記血管ロードマップを前記血管イメージングから導出するステップを有する、請求項１０に記載のコンピュータ実施方法。
【請求項１２】
血管フェーズ視野データ及びデバイスフェーズ視野データを受け取るステップ、並びに前記血管フェーズ視野データと前記デバイスフェーズ視野データとの間の空間的差に基づいて前記血管ロードマップの前記表示をパンするステップを有する、請求項１１に記載のコンピュータ実施方法。
【請求項１３】
前記コンピュータ実施方法は、前記血管イメージング中の生物学的参照マーカと前記ライブ蛍光透視イメージングとを前記空間的差に基づいて比較してパニングデータを決定するステップを有し、前記血管ロードマップの前記表示をパンするステップは前記パニングデータに基づく、請求項１２に記載のコンピュータ実施方法。
【請求項１４】
前記血管イメージングから血管造影マスクイメージの一部分を前記空間的差に基づいて選択するステップ、及び前記血管造影マスクイメージの前記一部分中の生物学的参照マーカを前記ライブ蛍光透視イメージングからのライブ蛍光透視マスクイメージと比較して前記パニングデータを決定するステップを有する、請求項１３に記載のコンピュータ実施方法。
【請求項１５】
請求項１から９の何れか一項に記載のイメージングシステムを実施するか、又は少なくとも１つのプロセッサによって実行されるときに請求項１０から１４の何れか一項に記載のコンピュータ実施方法のステップを実行する、コンピュータプログラム。
【手続補正書】
【提出日】令和3年3月19日(2021.3.19)
【手続補正１】
【補正対象書類名】特許請求の範囲
【補正対象項目名】全文
【補正方法】変更
【補正の内容】
【特許請求の範囲】
【請求項１】
哺乳類被験体（２）による色知覚の指標またはバイオマーカー（ＳＩＧｐｏｗｅｒ、ＡＰＰＲＯＸｐｏｗｅｒ、４９９）を生成する方法であって、以下の工程：
その少なくとも二つの色がタグ付け周波数（Ｆｔａｇ）と呼ばれる周波数で周期的に反転される多色、通常二色のパターンをディスプレイ周辺機器（１０）上に表示することを含む、哺乳類被験体を少なくとも一つの動的多色、通常二色の刺激にさらす工程（４１）と、
この色の表示される輝度を変動させるために、動的多色刺激の表示中の多色パターンの二つの色の少なくとも一つ（Ｃ２）の経時的な変更を制御する工程（４１）と、
動的多色刺激の表示中に、哺乳類被験体の少なくとも一つの瞳孔の振動応答（ＳＩＧｒｅｓｐ）を画像取得装置（２０）で取得する工程（４２、４３、４４）と、
動的多色刺激の表示中の二つの色の少なくとも一つの経時的な変更の関数としての瞳孔の振動応答（ＳＩＧｒｅｓｐ）の力を表す信号（ＳＩＧｐｏｗｅｒ、ＡＰＰＲＯＸｐｏｗｅｒ）を取得された応答から生成する工程（４６、４８）と
を含む方法。
【請求項２】
生成される信号（ＳＩＧｐｏｗｅｒ、ＡＰＰＲＯＸｐｏｗｅｒ）の最小値（ＭＩＮ）に対応する動的多色刺激の二つの色の等輝度二色構成を測定することで構成される工程をさらに含む、請求項１記載の方法。
【請求項３】
多色パターンの他方の色（Ｃ１）が動的多色刺激の表示中、固定され続ける、請求項１または２記載の方法。
【請求項４】
タグ付け周波数（Ｆｔａｇ）が被験体（２）に依存している、請求項１〜３のいずれか１項記載の方法。
【請求項５】
被験体を少なくとも一つの較正光フラッシュにさらすことと、較正光フラッシュに対する哺乳類被験体の瞳孔の平均応答時間を計測することと、計測された平均応答時間に応じてタグ付け周波数を設定することとを含む、タグ付け周波数（Ｆｔａｇ）を測定する事前工程（４０）をさらに含む、請求項４記載の方法。
【請求項６】
哺乳類被験体（２）が二つの異なる対の色に基づく二つの連続的な動的多色、通常二色の刺激にさらされる、請求項１〜５のいずれか１項記載の方法。
【請求項７】
生成される信号がタグ付け周波数でのおよび／またはその高調波の一つ以上での瞳孔の振動力を表し、
瞳孔の振動応答の、タグ付け周波数および／またはその高調波の一つ以上での周波数成分の変動を表す信号である、請求項１〜６のいずれか１項記載の方法。
【請求項８】
タグ付け周波数（Ｆｔａｇ）でのおよび／またはその高調波の一つ以上での瞳孔の振動力を表す信号（ＳＩＧｐｏｗｅｒ、ＡＰＰＲＯＸｐｏｗｅｒ）の生成（４６、４８）が、
取得された応答（ＳＩＧｒｅｓｐ）に対してムービング時間ウィンドウ（Ｗｉ）において離散高速フーリエ変換を適用すること（４６）と、タグ付け周波数でのおよび／または得られる周波数スペクトルのその高調波の一つ以上での周波数成分の値（Ｐｉ，ｔａｇ）を時間ウィンドウごとにメモリに保存することとを含む、請求項７記載の方法。
【請求項９】
信号の生成（４６、４８）が多色パターンの色の各反転に応答する瞳孔の直径の変動の振幅を測定することを含み、信号（ＳＩＧｐｏｗｅｒ、ＡＰＰＲＯＸｐｏｗｅｒ）がこのように測定された振幅から形成される、請求項１〜６のいずれか１項記載の方法。
【請求項１０】
哺乳類被験体（２）の病状の指標またはバイオマーカー（５３）特性を測定する方法であって、以下の工程：
同じ動的多色刺激を使用しながら、請求項１〜９のいずれか１項記載の方法を使用して、哺乳類被験体による色知覚の少なくとも二つの指標またはバイオマーカー（ＳＩＧｐｏｗｅｒ、ＡＰＰＲＯＸｐｏｗｅｒ、４９９）を二つの個別のそれぞれの時間（ｔ１、ｔ２）において生成する工程（５０、５１）と、
二つのこのように生成される瞳孔の力信号（ＳＩＧｐｏｗｅｒ、ＡＰＰＲＯＸｐｏｗｅｒ）の間の変更の指標（５３）を測定する工程（５２）と
を含む方法。
【請求項１１】
少なくとも二つの指標またはバイオマーカーを生成する工程（５０、５１）が、生成される信号（ＳＩＧｐｏｗｅｒ、ＡＰＰＲＯＸｐｏｗｅｒ）の最小値（ＭＩＮ）に対応する動的多色刺激の二つの色の等輝度二色構成を二つの時間（ｔ１、ｔ２）ごとに測定することを含み、
変更指標（５３）が二つの測定された二色構成の色値（ｃ２（ｔ１）、ｃ２（ｔ２））の間の差を含む、請求項１０記載の方法。
【請求項１２】
病状を診断するまたは被験体の病状の進行を追跡するために、請求項１０または１１記載の方法を使用して哺乳類被験体（２）に対して得られる変更指標（５３）の使用。
【請求項１３】
多発性硬化症、肝炎、糖尿病、神経変性疾患、神経発達疾患、神経血管疾患、中毒、加齢に関連した黄斑変性、緑内障ならびに網膜の疾患の病状を発見するまたは追跡するための、請求項１２記載の使用。
【請求項１４】
哺乳類被験体（２）による色知覚の指標またはバイオマーカー（ＳＩＧｐｏｗｅｒ、ＡＰＰＲＯＸｐｏｗｅｒ、４９９）を生成するシステム（１）であって、：
ディスプレイ周辺機器（１０）と、
その少なくとも二つの色がタグ付け周波数（Ｆｔａｇ）と呼ばれる周波数で周期的に反転される多色、通常二色のパターンの、ディスプレイ周辺機器上の表示を制御する計算システムであって、哺乳類被験体を動的多色、通常二色の刺激で刺激する計算システム（３１）と、
この色の表示される輝度を変動させるために、動的多色刺激の表示中の多色パターンの二つの色の少なくとも一つ（Ｃ２）を、経時的に変更するように構成される色コントローラ（３２）と、
動的多色刺激の表示中に、哺乳類被験体の少なくとも一つの瞳孔の振動応答（ＳＩＧｒｅｓｐ）を取得する画像取得装置（２０）と、
動的多色刺激の表示中の二つの色の少なくとも一つの経時的な変更の関数としての瞳孔の振動応答（ＳＩＧｒｅｓｐ）の力を表す信号（ＳＩＧｐｏｗｅｒ、ＡＰＰＲＯＸｐｏｗｅｒ）を取得された応答から生成するように構成される指標またはバイオマーカー生成器（３３）と
を含むシステム。
【請求項１５】
哺乳類被験体（２）の病状の指標またはバイオマーカー（５３）特性を測定するシステムであって、：
哺乳類被験体による色知覚の指標またはバイオマーカーを生成する、請求項１４記載のシステム（１）と、
同じ動的多色刺激を使用して同じ被験体に対して生成システム（１）によって二つの個別の時間（ｔ１、ｔ２）において生成される二つの力信号（ＳＩＧｐｏｗｅｒ、ＡＰＰＲＯＸｐｏｗｅｒ）の間の変更の指標（５３）を測定するように構成される処理モジュール（３４）と
を含むシステム。
【請求項１６】
神経変性疾患が、アルツハイマー病およびパーキンソン病からなる群から選択される、請求項１３に記載の使用。
【請求項１７】
神経発達疾患が、統合失調症および自閉症からなる群から選択される、請求項１３に記載の使用。
【請求項１８】
神経血管疾患が、発作からなる、請求項１３に記載の使用。
【手続補正書】
【提出日】令和3年3月11日(2021.3.11)
【手続補正１】
【補正対象書類名】特許請求の範囲
【補正対象項目名】全文
【補正方法】変更
【補正の内容】
【特許請求の範囲】
【請求項１】
スキーストラップのためのアセンブリであって、
第１の外側ブロック、前記第１の外側ブロックが第１の内側タブの各側に延在するように前記第１の外側ブロックから延在する前記第１の内側タブであって、一対のスキーの間に配置されることを可能にする前記第１の内側タブ、ストラップのための第１のリテイニングメカニズムを含む、第１の部分と、
第２の外側ブロック、前記第２の外側ブロックが第２の内側タブの両側に延在し、前記第２の内側タブが前記第１の内側タブの反対側の前記一対のスキーの間に配置されることを可能にするように前記第２の外側ブロックから延在する前記第２の内側タブ、および、前記ストラップのための第２のリテイニングメカニズムを含む、第２の部分と
を備え、
前記第１のリテイニングメカニズムは、前記ストラップが前記一対のスキーに巻き付けられている間に前記ストラップの第１の部分が前記第１の外側ブロックと係合するときに、前記ストラップの第１の部分を前記第１の内側タブに対してほぼ垂直に配置するように構成され、
前記第２のリテイニングメカニズムは、前記ストラップが前記一対のスキーに巻き付けられている間に前記ストラップの第２の部分が前記第２の外側ブロックと係合するときに、前記ストラップの第２の部分を前記第２の内側タブに対してほぼ垂直に配置するように構成された、
アセンブリ。
【請求項２】
前記スキーストラップをさらに備える請求項１に記載のアセンブリ。
【請求項３】
前記スキーストラップは、バックルから延在するレングス部を含み、前記バックルは、前記レングス部がそれを通して送り込まれて、前記バックルの一部分の周りに前記レングス部をループ状にすることによって、前記第１の部分および前記第２の部分に対して前記スキーを締め付けることを許容する請求項２に記載のアセンブリ。
【請求項４】
前記バックルは、前記レングス部に沿った複数の孔部のうちの１つを使用して、前記ストラップの前記レングス部をそれ自体に固定するための角度付きの歯をさらに含む請求項３に記載のアセンブリ。
【請求項５】
前記第１の内側タブおよび前記第２の内側タブのうちの少なくとも１つは、テーパー付きになっている請求項１に記載のアセンブリ。
【請求項６】
前記第１の外側ブロックおよび前記第２の外側ブロックのうちの少なくとも１つは、それぞれの前記内側タブの少なくとも１つの側に凹んだエリアをさらに含んで、前記スキーのそれぞれの１つから突出するエッジの少なくとも一部分を収容する請求項１に記載のアセンブリ。
【請求項７】
それぞれの前記内側タブの両側に凹んだエリアを含んで、前記スキーのそれぞれから突出するエッジの少なくとも一部分を収容する請求項６に記載のアセンブリ。
【請求項８】
前記第１の外側ブロックおよび前記第２の外側ブロックの両方は、それぞれの前記内側タブの両側に前記凹んだエリアを含む請求項７に記載のアセンブリ。
【請求項９】
前記凹んだエリアは、前記第１の外側ブロックおよび前記第２の外側ブロックのうちの前記少なくとも１つの中へ延在するベベルから形成されている請求項６に記載のアセンブリ。
【請求項１０】
前記凹んだエリアは、前記第１の外側ブロックおよび前記第２の外側ブロックのうちの前記少なくとも１つの中へ延在するノッチから形成されている請求項６に記載のアセンブリ。
【請求項１１】
前記第１の部分および前記第２の部分のうちの少なくとも１つは、電気的に不活性な材料を含む請求項１に記載のアセンブリ。
【請求項１２】
前記電気的に不活性な材料は、ガラスを充填されたナイロンを含む請求項１１に記載のアセンブリ。
【請求項１３】
前記第１の内側タブおよび前記第２の内側タブのうちの少なくとも１つは、複数のオフセット部分を含んで、吊り下げメカニズムとインターフェース接続するための少なくとも１つのボイドを生成する請求項１に記載のアセンブリ。
【請求項１４】
前記複数のオフセット部分は、上側ウェッジと、下側ウェッジと、上側ボイドおよび下側ボイドを生成する中央ウェッジとを含む請求項１３に記載のアセンブリ。
【請求項１５】
前記第１の外側ブロックおよび前記第２の外側ブロックのうちの少なくとも１つは、吊り下げメカニズムとインターフェース接続するようにテーパー付きになっている請求項１に記載のアセンブリ。
【請求項１６】
スキーストラップと、
請求項１に記載のアセンブリと
を備える、スキーストラップデバイス。
【請求項１７】
吊り下げメカニズムをさらに備え、前記吊り下げメカニズムは、前記アセンブリを支持するために本体部から延在するプラットフォームを含み、前記プラットフォームは、そこから上向きに延在し、前記アセンブリの前記第１の部分および前記第２の部分のうちの少なくとも１つの上のボイドとアライメント状態になるように位置決めされ、前記アセンブリを前記プラットフォーム上に置いて前記一対のスキーを吊るすピンを含む請求項１６に記載のスキーストラップデバイス。
【請求項１８】
スキーのための吊り下げデバイスであって、
第１の外側ブロック、前記第１の外側ブロックが第１の内側タブの各側に延在するように前記第１の外側ブロックから延在する前記第１の内側タブであって、一対のスキーの間に配置されることを可能にする前記第１の内側タブ、ストラップのための第１のリテイニングメカニズム、および、前記ストラップによって固定されているときの前記一対のスキーを吊り下げるための、前記第１の内側タブの方向とは反対の方向に延在する吊り下げメカニズムを含む、第１の部分と、
第２の外側ブロック、前記第２の外側ブロックが第２の内側タブの両側に延在し、前記第２の内側タブが前記第１の内側タブの反対側の前記一対のスキーの間に配置されることを可能にするように前記第２の外側ブロックから延在する前記第２の内側タブ、および、前記ストラップのための第２のリテイニングメカニズムを含む、第２の部分と
を備える、吊り下げデバイス。
【請求項１９】
スキーストラップと、
請求項１８に記載の吊り下げデバイスと
を備える、スキーストラップアセンブリ。
【請求項２０】
前記第１の内側タブおよび前記第２の内側タブのうちの少なくとも１つは先細になっている請求項１８に記載の吊り下げデバイス。